(57)【要約】  本明細書の実施形態は、たとえば、無線通信ネットワークにおける通信をハンドリングするための、無線デバイス（１０）によって実施される方法に関する。無線デバイス（１０）は、２つまたはそれ以上の状態に基づいて送信パラメータの値のセットを決定し、送信パラメータは無線デバイスに関係する。無線デバイス（１０）は、値のセットのうちの１つまたは複数の重複する値があるかどうかを決定する。１つまたは複数の重複する値があると決定されたとき、無線デバイス（１０）は、１つまたは複数の重複する値のうちの１つの値を選択し、重複する値がないと決定されたとき、無線デバイス（１０）は、基準に基づいて送信パラメータの値のセットから１つの値を選択する。【選択図】図２Ａ
2020520604.tif 000002
【特許請求の範囲】
【請求項１】
無線通信ネットワークにおける通信をハンドリングするための、無線デバイス（１０）によって実施される方法であって、−  ２つまたはそれ以上の状態に基づいて送信パラメータの値のセットを決定すること（２０２）であって、前記送信パラメータが無線デバイスに関係する、送信パラメータの値のセットを決定すること（２０２）と、
−  前記値のセットのうちの１つまたは複数の重複する値があるかどうかを決定すること（２０３）と、１つまたは複数の重複する値があると決定されたとき、
−  前記１つまたは複数の重複する値のうちの１つの値を選択すること（２０４１）と、重複する値がないと決定されたとき、
−  基準に基づいて送信パラメータの前記値のセットから１つの値を選択すること（２０４２）と
を含む、方法。
【請求項２】
前記２つまたはそれ以上の状態が、トラフィックの輻輳に依存する輻輳状態、前記無線デバイスの速度および／または方向に依存する移動状態、前記無線デバイスのロケーションに依存するロケーション状態、ならびに／あるいは前記無線デバイスの容量に依存する容量状態を含む、請求項１に記載の方法。
【請求項３】
前記基準が、別のセットに対する、送信パラメータの前記値のセットの優先度に関係する、請求項１または２に記載の方法。
【請求項４】
−  送信パラメータの値のセットを複数取得すること（２０１）をさらに含み、値の決定セットが、取得された複数の前記値のセットから選択される、
請求項１から３のいずれか一項に記載の方法。
【請求項５】
−  通信中に、選択された前記値を使用すること（２０５）
をさらに含む、請求項１から４のいずれか一項に記載の方法。
【請求項６】
無線通信ネットワークのリソースをハンドリングするための、無線ネットワークノードによって実施される方法であって、
−  送信パラメータの値のセットを複数伴って無線デバイスを設定すること（２１１）であって、前記送信パラメータが、ネットワーク関係状態および／または無線デバイス関係状態である状態に関係する、無線デバイスを設定すること（２１１）
を含む、方法。
【請求項７】
無線通信ネットワークにおける通信をハンドリングするための無線デバイス（１０）であって、
２つまたはそれ以上の状態に基づいて送信パラメータの値のセットを決定することであって、前記送信パラメータが無線デバイスに関係する、送信パラメータの値のセットを決定することと、
前記値のセットのうちの１つまたは複数の重複する値があるかどうかを決定することと、１つまたは複数の重複する値があると決定されたとき、
前記１つまたは複数の重複する値のうちの１つの値を選択することと、重複する値がないと決定されたとき、
基準に基づいて送信パラメータの前記値のセットから１つの値を選択することと
を行うように設定された、無線デバイス（１０）。
【請求項８】
前記２つまたはそれ以上の状態が、トラフィックの輻輳に依存する輻輳状態、前記無線デバイスの速度および／または方向に依存する移動状態、前記無線デバイスのロケーションに依存するロケーション状態、ならびに／あるいは前記無線デバイスの容量に依存する容量状態を含む、請求項７に記載の無線デバイス（１０）。
【請求項９】
前記基準が、別のセットに対する、送信パラメータの前記値のセットの優先度に関係する、請求項７または８に記載の無線デバイス（１０）。
【請求項１０】
前記無線デバイス（１０）が、
送信パラメータの値のセットを複数取得するようにさらに設定され、取得された複数の前記値のセットから選択することによって、前記値のセットを決定するように設定された、
請求項７から９のいずれか一項に記載の無線デバイス（１０）。
【請求項１１】
前記無線デバイス（１０）が、
通信中に、選択された前記値を使用する
ようにさらに設定された、請求項７から１０のいずれか一項に記載の無線デバイス（１０）。
【請求項１２】
無線通信ネットワーク（１）のリソースをハンドリングするための無線ネットワークノード（１３）であって、
送信パラメータの値のセットを複数伴って無線デバイス（１０）を設定することであって、前記送信パラメータは、ネットワーク関係状態および／または無線デバイス関係状態に関係し、前記無線デバイスがそこから選択するためのものである、無線デバイス（１０）を設定すること
を行うように設定された、無線ネットワークノード（１３）。
【請求項１３】
少なくとも１つのプロセッサ上で実行されたとき、前記少なくとも１つのプロセッサに、無線デバイス（１０）または無線ネットワークノード（１２）によって実施される、請求項１から６のいずれか一項に記載の方法を行わせる命令を備える、コンピュータプログラム製品。
【請求項１４】
少なくとも１つのプロセッサ上で実行されたとき、前記少なくとも１つのプロセッサに、無線デバイス（１０）または無線ネットワークノード（１２）によって実施される、請求項１から６のいずれか一項に記載の方法を行わせる命令を備えるコンピュータプログラム製品を記憶した、コンピュータ可読記憶媒体。
【請求項１５】
２つまたはそれ以上の状態に基づいて送信パラメータの値のセットを決定することであって、前記送信パラメータが無線デバイスに関係する、送信パラメータの値のセットを決定することと、
前記値のセットのうちの１つまたは複数の重複する値があるかどうかを決定することと、１つまたは複数の重複する値があると決定されたとき、
前記１つまたは複数の重複する値のうちの１つの値を選択することと、重複する値がないと決定されたとき、
基準に基づいて送信パラメータの前記値のセットから１つの値を選択することと
を行うように設定された処理回路を備える、無線デバイス。
【請求項１６】
送信パラメータの値のセットを複数伴って無線デバイスを設定することであって、前記送信パラメータは、ネットワーク関係状態および／または無線デバイス関係状態に関係し、前記無線デバイスがそこから選択するためのものである、無線デバイスを設定すること
を行うように設定された処理回路を備える、無線ネットワークノード。
【発明の詳細な説明】
【技術分野】
【０００１】
本明細書の実施形態は、無線ネットワークノード、無線デバイス、ならびに無線ネットワークノードおよび無線デバイスにおいて実施される方法に関する。さらに、コンピュータプログラム製品およびコンピュータ可読記憶媒体も本明細書で提供される。特に、本明細書の実施形態は、無線通信ネットワークにおける無線デバイスの通信を可能にすることに関する。
【背景技術】
【０００２】
一般的な無線通信ネットワークでは、無線通信デバイス、移動局、局（ＳＴＡ）および／またはユーザ機器（ＵＥ）としても知られる、無線デバイスが、無線アクセスネットワーク（ＲＡＮ）を介して１つまたは複数のコアネットワーク（ＣＮ）に通信する。ＲＡＮは、地理的エリアをカバーし、ビームまたはビームグループと呼ばれることもあるサービスエリアまたはセルにわたって無線カバレッジを与え、各サービスエリアまたはビームは、たとえば、いくつかのネットワークでは、たとえば、ノードＢ、ｅノードＢまたはｇノードＢと示されることもある、無線アクセスノード、たとえばＷｉ−Ｆｉアクセスポイントまたは無線基地局（ＲＢＳ）などの無線ネットワークノードによってサーブまたは制御される。無線ネットワークノードは、無線ネットワークノードの範囲内で、無線周波数上で動作するエアインターフェースを介して無線デバイスと通信する。
【０００３】
Ｕｎｉｖｅｒｓａｌ  Ｍｏｂｉｌｅ  Ｔｅｌｅｃｏｍｍｕｎｉｃａｔｉｏｎｓ  ｎｅｔｗｏｒｋ（ＵＭＴＳ）は、第２世代（２Ｇ）モバイル通信用グローバルシステム（ＧＳＭ）から発展した第３世代（３Ｇ）電気通信ネットワークである。ＵＭＴＳ地上無線アクセスネットワーク（ＵＴＲＡＮ）は、本質的に、ユーザ機器のために広帯域符号分割多元接続（ＷＣＤＭＡ）および／または高速パケットアクセス（ＨＳＰＡ）を使用するＲＡＮである。第３世代パートナーシッププロジェクト（３ＧＰＰ）として知られるフォーラムでは、電気通信サプライヤが、第３世代ネットワークのための規格を提案およびその規格に関して同意し、向上されたデータレートおよび無線容量を研究する。いくつかのＲＡＮでは、たとえばＵＭＴＳの場合のように、いくつかの無線ネットワークノードは、たとえば、ランドラインまたはマイクロ波によって、無線ネットワークコントローラ（ＲＮＣ）または基地局コントローラ（ＢＳＣ）など、コントローラノードに接続され得、コントローラノードは、コントローラノードに接続された複数の無線ネットワークノードの様々なアクティビティを監視し、協調させる。このタイプの接続は、バックホール接続と呼ばれることがある。ＲＮＣおよびＢＳＣは、一般に、１つまたは複数のコアネットワークに接続される。
【０００４】
第４世代（４Ｇ）ネットワークとも呼ばれる、エボルブドパケットシステム（ＥＰＳ）のための仕様は、第３世代パートナーシッププロジェクト（３ＧＰＰ）内で完成されており、この作業は、たとえば、第５世代（５Ｇ）ネットワークを指定するために、来たるべき３ＧＰＰリリースにおいて続く。ＥＰＳは、Ｌｏｎｇ  Ｔｅｒｍ  Ｅｖｏｌｕｔｉｏｎ（ＬＴＥ）無線アクセスネットワークとしても知られる、拡張ユニバーサル地上無線アクセスネットワーク（Ｅ−ＵＴＲＡＮ）と、システムアーキテクチャエボリューション（ＳＡＥ）コアネットワークとしても知られる、エボルブドパケットコア（ＥＰＣ）とを備える。Ｅ−ＵＴＲＡＮ／ＬＴＥは、無線ネットワークノードがＲＮＣにではなくＥＰＣコアネットワークに直接接続される３ＧＰＰ無線アクセスネットワークの変形態である。概して、Ｅ−ＵＴＲＡＮ／ＬＴＥでは、ＲＮＣの機能は、無線ネットワークノード、たとえばＬＴＥにおけるｅノードＢと、コアネットワークとの間で分散される。したがって、ＥＰＳのＲＡＮは、１つまたは複数のコアネットワークに直接接続された無線ネットワークノードを備える、本質的に「フラット」なアーキテクチャを有し、すなわち、無線ネットワークノードはＲＮＣに接続されない。そのことを補償するために、Ｅ−ＵＴＲＡＮ仕様は、無線ネットワークノード間の直接インターフェースを規定し、このインターフェースはＸ２インターフェースとして示される。
【０００５】
無線アクセスネットワークが新しい無線（ＮＲ）と呼ばれ、コアネットワークは次世代コア（ＮＧＣ）と呼ばれる、３ＧＰＰによって現在規格化されている５Ｇシステムについて、３ＧＰＰは、ＬＴＥにおいて使用されるシステム情報（ＳＩ）の分散のための原理を部分的に変更することに同意した。
【０００６】
リリース１２中に、ＬＴＥ規格は、商用適用例と公共安全適用例の両方をターゲットにする（「サイドリンク」として指定された）デバイスツーデバイス（Ｄ２Ｄ）特徴のサポートを伴って拡張された。Ｒｅｌ−１２  ＬＴＥによって可能にされたいくつかの適用例は、デバイス発見であり、ここで、無線デバイスは、無線デバイス識別情報とアプリケーション識別情報とを搬送する発見メッセージをブロードキャストおよび検出することによって、別の無線デバイスおよび関連するアプリケーションの近接度を検知することが可能である。別の適用例は、無線デバイス間で直接終端する物理チャネルに基づく直接通信からなる。３ＧＰＰでは、これらの適用例のすべてが、近接サービス（ＰｒｏＳｅ：Ｐｒｏｘｉｍｉｔｙ  Ｓｅｒｖｉｃｅ）の傘下で規定されている。
【０００７】
ＰｒｏＳｅフレームワークの潜在的拡張のうちの１つは、車両、歩行者、およびインフラストラクチャの間の直接通信の任意の組合せを含む、車両対あらゆるモノ（Ｖ２ｘ：Ｖｅｈｉｃｌｅ  ｔｏ  ｅｖｅｒｙｔｈｉｎｇ）通信のサポートからなる。Ｖ２ｘ通信は、利用可能なときに、ネットワーク（ＮＷ）インフラストラクチャを利用し得るが、少なくとも基本的なＶ２ｘ接続性が、カバレッジの欠如の場合でも可能であるべきである。ＬＴＥベースＶ２ｘインターフェースを提供することは、ＬＴＥの規模の経済により、経済的に有利であり得、このことは、専用Ｖ２ｘ技術を使用することと比較して、ＮＷインフラストラクチャとの通信、たとえば車両対インフラストラクチャ（Ｖ２Ｉ：Ｖｅｈｉｃｌｅ  ｔｏ  Ｉｎｆｒａｓｔｒｕｃｔｕｒｅ）通信および車両対歩行者（Ｖ２Ｐ：Ｖｅｈｉｃｌｅ  ｔｏ  Ｐｅｄｅｓｔｒｉａｎｓ）通信および車両対車両（Ｖ２Ｖ：Ｖｅｈｉｃｌｅ  ｔｏ  Ｖｅｈｉｃｌｅ）通信の間のより緊密な統合を可能にし得る。
【０００８】
既存のセルラーインフラストラクチャの使用に基づくプロジェクトを含む、様々な国または地域における接続された車両の多くの研究プロジェクトおよびフィールドテストがある。
【０００９】
Ｖ２ｘ通信は非安全（ｎｏｎ−ｓａｆｅｔｙ）情報と安全情報の両方を搬送し得、ここで、アプリケーションおよびサービスの各々は、たとえば、レイテンシ、確実性、容量などに関して、特定の要件セットに関連し得る。アプリケーションの観点から、Ｖ２Ｘは通信／サービスの以下のタイプを含む。図１は、Ｖ２Ｘ通信のタイプ（Ｖ２Ｖ、Ｖ２Ｉ、Ｖ２ＰおよびＶ２Ｎ）を示す。
【００１０】
Ｖ２Ｖ（車両対車両）：Ｖ２Ｖアプリケーションを使用する車両間の通信をカバーし、主にブロードキャストベースである。Ｖ２Ｖは、それぞれの車両におけるデバイス間の直接通信によって、またはセルラーネットワークなどのインフラストラクチャを介してのいずれかで実現され得る。Ｖ２Ｖの一例は、近接している他の車両に繰り返し（１００ｍｓ〜１ｓごとに）送信される、（位置、方向、および速度などの）車両ステータス情報を伴う協調認識メッセージ（ＣＡＭ：ｃｏｏｐｅｒａｔｉｖｅ  ａｗａｒｅｎｅｓｓ  ｍｅｓｓａｇｅ）の送信である。別の例は、車両に警報を出すためのイベントトリガ型メッセージである、分散型環境通知メッセージ（ＤＥＮＭ：ｄｅｃｅｎｔｒａｌｉｚｅｄ  ｅｎｖｉｒｏｎｍｅｎｔａｌ  ｎｏｔｉｆｉｃａｔｉｏｎ  ｍｅｓｓａｇｅ）の送信である。これら２つの例は、Ｖ２ＸアプリケーションのＥＴＳＩインテリジェントトランスポートシステム（ＩＴＳ：Ｉｎｔｅｌｌｉｇｅｎｔ  Ｔｒａｎｓｐｏｒｔ  Ｓｙｓｔｅｍｓ）仕様からとられ、この仕様はまた、メッセージが生成される状態を指定する。Ｖ２Ｖアプリケーションの主要な特性は、（衝突前警告メッセージのための）２０ｍｓから他の道路安全サービスのための１００ｍｓまで変動することができる、レイテンシに関する厳重な要件である。
【００１１】
Ｖ２Ｉ（車両対インフラストラクチャ）：これは、車両と路側ユニット（ＲＳＵ：Ｒｏａｄｓｉｄｅ  Ｕｎｉｔ）との間の通信を含む。ＲＳＵは、ＲＳＵに近接している車両と通信する固定トランスポーテーションインフラストラクチャエンティティである。Ｖ２Ｉの一例は、ＲＳＵから車両への速度通知、ならびに列情報、衝突リスク警報、カーブ速度警告の送信である。Ｖ２Ｉの安全関係の性質により、遅延要件は、Ｖ２Ｖの要件と同様である。
【００１２】
Ｖ２Ｐ（車両対歩行者）：Ｖ２Ｐアプリケーションを使用して、車両と、歩行者などの脆弱な道路使用者との間の通信をカバーする。Ｖ２Ｐは一般に、直接、またはセルラーネットワークなどのインフラストラクチャを介してのいずれかで、別個の車両と歩行者との間で行われる。
【００１３】
Ｖ２Ｎ（車両対ネットワーク）：車両と集中型アプリケーションサーバ（またはインテリジェントトランスポーテーションシステム（ＩＴＳ：Ｉｎｔｅｌｌｉｇｅｎｔ  ｔｒａｎｓｐｏｒｔａｔｉｏｎ  ｓｙｓｔｅｍｓ）交通管理センター）との間の通信をカバーし、両方が（セルラーネットワークなどの）インフラストラクチャを介してＶ２Ｎアプリケーションを利用する。一例は、広いエリア中のすべての車両に送られる悪路状態警告、または交通流最適化であり、そこでは、Ｖ２Ｎアプリケーションが、車両に速度を示唆し、交通信号を調整する。したがって、Ｖ２Ｎメッセージは、集中型エンティティ（すなわち、交通管理センター）によって制御され、小さいエリア中ではなく大きい地理的エリア中の車両にプロビジョニングされると考えられる。さらに、Ｖ２Ｖ／Ｖ２Ｉとは異なり、非安全目的のために使用されることが意図されないので、Ｖ２Ｎではレイテンシ要件がより緩和され、たとえば、１秒レイテンシ要件が一般に考慮される。
【００１４】
前述のように、セルラースペクトルにおけるいわゆるＰＣ５インターフェース上での（Ｄ２ＤまたはＰｒｏＳｅとしても知られる）サイドリンク送信は、３ＧＰＰにおいてＲｅｌ−１２から規格化された。３ＧＰＰ  Ｒｅｌ−１２では、２つの異なる送信モードが３ＧＰＰにおいて指定された。１つのモード（モード１）では、ＲＲＣ＿ＣＯＮＮＥＣＴＥＤモードにあるＵＥが、Ｄ２Ｄリソースを要求し、ｅＮＢが、ＰＤＣＣＨ（ＤＣＩ５）を介してまたは専用シグナリングを介してＤ２Ｄリソースをグラントする。別のモード（モード２）では、ＵＥは、ｅＮＢが、ブロードキャスト中でＰＣｅｌｌ以外のキャリア上での送信のためにＳＩＢシグナリングを介してまたはＰＣｅｌｌ上での送信のために専用シグナリングを介して与える、利用可能なリソースのプールから送信のためのリソースを自律的に選択する。したがって、第１の動作モードとは異なり、第２の動作モードは、ＲＲＣ＿ＩＤＬＥにあるＵＥによっても、いくつかの場合にはカバレッジ外のＵＥによってさえ、実施され得る。
【００１５】
Ｒｅｌ．１４では、サイドリンクの使用が、Ｖ２ｘドメインに拡張される。Ｒｅｌ．１２におけるサイドリンク物理レイヤの元の設計は、ミッションクリティカルプッシュツートーク（ＭＣＰＴＴ：Ｍｉｓｓｉｏｎ  Ｃｒｉｔｉｃａｌ  Ｐｕｓｈ  Ｔｏ  Ｔａｌｋ）トラフィックのためのボイスパケットを搬送するために、スペクトルにおける同じ物理リソースについて競合するＵＥなどの少数の無線デバイスを伴うシナリオをターゲットにし、低い無線デバイスモビリティを仮定した。一方、Ｖ２ｘでは、サイドリンクは、時間／イベントトリガ型Ｖ２ｘメッセージ、たとえば協働認識メッセージ（ＣＡＭ）および分散型環境通知メッセージ（ＤＥＮＭ）を搬送するためにより高い負荷のシナリオ（すなわち、潜在的に物理リソースについて競合する数百台の車）に対処し、高い無線デバイスモビリティに対処することが可能であるべきである。そのような理由のために、３ＧＰＰは、サイドリンク物理レイヤに対する可能な強化を論じている。
【００１６】
Ｒｅｌ．１４において指定された第１の強化は、新しい送信モード、すなわちモード３の導入であり、モード３は、サイドリンクリソースを無線デバイスに明示的に割り振るのが、ｅＮＢなどの無線ネットワークノードであるという意味で、モード１に似ている。しかしながら、モード１とは異なり、無線ネットワークノードは、サイドリンクリソースを半永続的スケジューリング（ＳＰＳ：Ｓｅｍｉ  Ｐｅｒｓｉｓｔｅｎｔ  Ｓｃｈｅｄｕｌｉｎｇ）のような様式で半永続的に設定する可能性を有し、すなわち、ｅＮＢは、ある周波数リソース上での周期的送信のためにサイドリンクグラントを割り振る。
【００１７】
第２の強化は、モード４送信モードに対応する、いわゆるチャネル検知および検知アウェア（ｓｅｎｓｉｎｇ−ａｗａｒｅ）無線デバイスの自律的なリソース割り当ての導入である。Ｒｅｌ．１２およびＲｅｌ．１３  ＰｒｏＳｅ通信のためのベースである、ランダムなリソース選択とは異なり、Ｖ２Ｖ（Ｒｅｌ−１４）では、無線デバイスが、連続的に、チャネルを検知し、あまり干渉されない、スペクトルの異なる部分におけるリソースを探索することが予想される。そのような検知は、無線デバイス間の衝突を制限する目的を有する。
【００１８】
検知の２つのタイプが、３ＧＰＰにおいて考慮されている。
●  受信電力に基づく検知。無線デバイスが、特定の無線リソース上の受信エネルギーを測定する。
〇  たとえば、これらの測定値に基づいて、無線デバイスは、無線リソースがいくつかの他の無線デバイスによって使用中である（すなわち、「ビジー」である）と見なされるのか、使用中でない（すなわち、「アイドル」である）と見なされるのかを決める。
〇  たとえば、無線デバイスは、測定値を使用して、送信機が遠く離れている（たとえば、信号が弱い場合）のか、近くにある（たとえば、信号が強い場合）のかを推定し得る。
●  パケットコンテンツに基づく検知。無線デバイスが、パケットを受信し、パケットを復号する。パケットから抽出された情報に基づいて、無線デバイスは、無線リソースの利用に関する何らかの知識を取得し得る。
〇  たとえば、スケジューリング割り振り（ＳＡ）パケットを読み取ることによって、無線デバイスは、どの無線リソースにおけるデータ送信を予想すべきであるか、および送信機の優先度レベルを知り得る。
〇  たとえば、データパケットを読み取ることによって、無線デバイスは、送信機の位置、送信機のＩＤ、送信機のタイプなどを知り得る。
【００１９】
モード４では、無線デバイスは、検知結果に基づいて送信リソースを自律的に選択するが、無線ネットワークノードは、無線デバイスがいくつかの送信パラメータのために使用することを許可された値のいくつかのセットをシグナリングすることが、依然として可能である。たとえば、送信のために無線デバイスによって使用される物理リソースブロック（ＰＲＢ）の数について、無線ネットワークノードは、最小値および最大値、すなわち、送信のためにＸ個よりも少ないＰＲＢまたはＹ個よりも多いＰＲＢを使用することを無線デバイスが許可されないこと、無線デバイスが送信することを許可されるか否か、無線デバイスが使用し得る最大の変調符号化方式（ＭＣＳ）および最小のＭＣＳ、最小送信電力／最大送信電力などを指定し得る。言い換えれば、無線ネットワークノードは、無線デバイスがいくつかの送信パラメータのために選択することができる、値のセットを制限することができる。たとえば、（送信パラメータに関する）そのようなセット／制限は、異なる無線デバイス状態について、たとえば無線デバイス速度またはチャネル輻輳ステータスに応じて、ネットワークによって別様に設定され得る。無線ネットワークノード（または概してＮＷノード）による設定に加えて、セット／制限も、事前設定の一部であり得る。事前設定は、無線ネットワークノードによる設定の代替として、または補足として使用され得る。
【００２０】
既存の仕様の場合、無線ネットワークノードは、異なる無線デバイス状態、たとえば、無線デバイス速度、チャネル輻輳ステータスについて、送信パラメータについての値の異なるセットを設定することができる。たとえば、無線ネットワークノードは、送信パラメータ範囲の第１のセット、たとえば、無線デバイス速度に依存する、ＰＲＢの数、ＭＣＳ、送信電力、ハイブリッド自動再送要求（ＨＡＲＱ）再送信の数などを設定し得る。さらに、無線ネットワークノードは、無線デバイスが、サイドリンクチャネルの輻輳ステータスに応じて従うべきである、送信パラメータ範囲の第２のセットをも設定し得る。
【００２１】
以下で、可能な設定が無線ネットワークノードによって与えられる。
速度依存送信（ＴＸ）パラメータおよびそれらの範囲、すなわち、許可された値のセット：
〇  速度  ０ｋｍｐｈ〜６０ｋｍｐｈ：速度−パラメータＡ
・  ＰＲＢ−範囲Ａ、ＭＣＳ−範囲Ａ、ＨＡＲＱ−範囲Ａ、ＴＸ−電力Ａ
〇  速度６０ｋｍｐｈ〜１００ｋｍｐｈ：速度−パラメータＢ
・  ＰＲＢ−範囲Ｂ、ＭＣＳ−範囲Ｂ、ＨＡＲＱ−範囲Ｂ、ＴＸ−電力Ｂ
〇  速度＞１００ｋｍｐｈ：速度−パラメータＣ
・  ＰＲＢ−範囲Ｃ、ＭＣＳ−範囲Ｃ、ＨＡＲＱ−範囲Ｃ、ＴＸ−電力Ｃ
輻輳依存ＴＸパラメータおよびそれらの範囲（すなわち、許可された値のセット）：
〇  ＣＢＲ  ０％〜２０％：輻輳−パラメータ（Ｃｏｎｇ−Ｐａｒａｍｅｔｅｒ）Ａ
・  ＰＲＢ−範囲Ａ、ＭＣＳ−範囲Ａ、ＨＡＲＱ−範囲Ａ、ＴＸ−電力Ａ
〇  ＣＢＲ  ２０％〜７０％：輻輳−パラメータＢ
・  ＰＲＢ−範囲Ｂ、ＭＣＳ−範囲Ｂ、ＨＡＲＱ−範囲Ｂ、ＴＸ−電力Ｂ
〇  ＣＢＲ＞７０％：輻輳−パラメータＣ
・  ＰＲＢ−範囲Ｃ、ＭＣＳ−範囲Ｃ、ＨＡＲＱ−範囲Ｃ、ＴＸ−電力Ｃ
【００２２】
チャネルビジー率（ＣＢＲ：Ｃｈａｎｎｅｌ  Ｂｕｓｙ  Ｒａｔｉｏ）は、輻輳のレベルを測定するメトリックである。
【００２３】
概して無線ネットワークノードが、設定のうちの１つのみを与えるか、それらの両方を与えるか、または設定のいずれをも与えないことがあることに留意されたい。
【００２４】
無線デバイスは、その速度に対応するかまたは測定されたチャネル輻輳ステータスに関する値のセット内で、送信パラメータのための所望の値を選択する。しかしながら、送信パラメータの複数のセットが設定された場合、すなわち、速度依存パラメータのセットと輻輳依存パラメータのセットの両方が設定された場合、送信パラメータのどの値から無線デバイスが選択することができるかが曖昧であることがある。
【００２５】
１つの簡単な解決策は、無線デバイスが重複する送信パラメータを単に選択することができるように、無線ネットワークノードが常に、異なる設定パラメータ間のおよび異なるセットにわたる重複（共通部分）を保証することである。すなわち、速度−パラメータＡにおけるＰＲＢ−範囲Ａと、輻輳−パラメータＡにおけるＰＲＢ−範囲Ａとを定義するとき、無線ネットワークノードは常に、両方の範囲に対していくつかの共通の値（すなわち、空でない共通部分）があることを保証するべきである。このようにして、無線デバイスは常に、両方の制限を満たす値、すなわち、同時に両方の範囲に属する値を選択することができる。
【００２６】
しかしながら、この解決策は、無線ネットワークノードに、異なる設定間の重複を常に保証することを強制し、そのことがシステム性能に関して常に有益であるとは限らないので、この解決策は、いくつかの基本的限界を有する。たとえば、無線デバイスが１００ｋｍ／ｈを上回る速度で移動している場合、確実な受信を保証するために、ＭＣＳ範囲はむしろ控えめであるべきであり、ＨＡＲＱ再送信の許可された数は高くなるべきであるが、同時に、チャネルの輻輳、たとえばＣＢＲが７０％を上回る場合、パケットセグメンテーションを制限するためにより大胆な（ａｇｇｒｅｓｓｉｖｅ）ＭＣＳと、チャネル過負荷を低減するために低い（または無）ＨＡＲＱ再送信とを有することがより良い。
【発明の概要】
【００２７】
本明細書の目的は、効率的な様式で無線通信ネットワークの性能を改善する機構を提供することである。
【００２８】
一態様によれば、目的は、無線通信ネットワークにおける通信をハンドリングするための、無線デバイスによって実施される方法を提供することによって達成される。無線デバイスは、２つまたはそれ以上の状態に基づいて送信パラメータの値のセットを決定し、使用すべきＰＲＢの数、使用すべきＭＣＳ、または使用すべき送信電力など、送信パラメータは、無線デバイスに関係する。無線デバイスは、値のセットのうちの１つまたは複数の重複する値があるかどうかを決定する。１つまたは複数の重複する値があると決定されたとき、無線デバイスは、１つまたは複数の重複する値のうちの１つの値を選択し、重複する値がないと決定されたとき、無線デバイスは、基準に基づいて送信パラメータの値のセットから１つの値を選択する。
【００２９】
別の態様によれば、目的は、無線通信ネットワークにおける無線リソースをハンドリングするための、無線ネットワークノードによって実施される方法を提供することによって達成される。無線ネットワークノードは、送信パラメータの値の複数のセットを伴って無線デバイスを設定し、送信パラメータが、ネットワーク関係状態および／または無線デバイス関係状態である状態に関係する。
【００３０】
また別の態様によれば、目的は、無線通信ネットワークにおける通信をハンドリングするための無線デバイスを提供することによって達成される。無線デバイスは、２つまたはそれ以上の状態に基づいて送信パラメータの値のセットを決定するように設定され、送信パラメータは無線デバイスに関係する。無線デバイスは、値のセットのうちの１つまたは複数の重複する値があるかどうかを決定するようにさらに設定される。１つまたは複数の重複する値があると決定されたとき、無線デバイスは、１つまたは複数の重複する値のうちの１つの値を選択するように設定され、重複する値がないと決定されたとき、無線デバイスは、基準に基づいて送信パラメータの値のセットから１つの値を選択するように設定される。
【００３１】
また別の態様によれば、目的は、無線通信ネットワークにおける無線リソースをハンドリングするための無線ネットワークノードを提供することによって達成される。無線ネットワークノードは、送信パラメータの値の複数のセットを伴って無線デバイスを設定するように設定され、送信パラメータは、ネットワーク関係状態および／または無線デバイス関係状態に関係し、無線デバイスがそこから選択するためのものである。
【００３２】
少なくとも１つのプロセッサ上で実行されたとき、少なくとも１つのプロセッサに、無線デバイスまたは無線ネットワークノードによって実施される、上記の方法のいずれかを行わせる命令を備えるコンピュータプログラム製品が、本明細書でさらに提供される。少なくとも１つのプロセッサ上で実行されたとき、少なくとも１つのプロセッサに、無線デバイスまたは無線ネットワークノードによって実施される、上記の方法のいずれかに記載の方法を行わせる命令を備えるコンピュータプログラム製品を記憶した、コンピュータ可読記憶媒体が、本明細書でさらに提供される。
【００３３】
２つまたはそれ以上の状態に基づいて送信パラメータの値のセットを決定するように設定された処理回路を備える無線デバイスが本明細書でさらに開示され、送信パラメータは無線デバイスに関係する。処理回路は、値のセットのうちの１つまたは複数の重複する値があるかどうかを決定するようにさらに設定され、１つまたは複数の重複する値があると決定されたとき、１つまたは複数の重複する値のうちの１つの値を選択するように設定される。処理回路は、重複する値がないと決定されたとき、基準に基づいて送信パラメータの値のセットから１つの値を選択するようにさらに設定される。
【００３４】
送信パラメータの値の複数のセットを伴って無線デバイスを設定することであって、送信パラメータは、ネットワーク関係状態および／または無線デバイス関係状態に関係し、無線デバイスがそこから選択するためのものである、無線デバイスを設定することを行うように設定された処理回路を備える無線ネットワークノードが、本明細書でさらに開示される。
【００３５】
本明細書の実施形態は、無線デバイスが、異なる状態に応じて、無線ネットワークノードによって設定（または事前設定）され得る送信パラメータ値の複数のセットの中の送信パラメータ値のうちの１つの値を選択することを可能にする。これは、効率的な様式での無線通信ネットワークの改善された性能につながる。
【００３６】
次に、同封の図面に関して実施形態がより詳細に説明される。
【図面の簡単な説明】
【００３７】
【図１】車両通信を表す論理概観図である。
【図２Ａ】本明細書の実施形態による、無線通信ネットワークを表す概略図である。
【図２Ｂ】本明細書の実施形態による、無線デバイスによって実施される方法を表す概略フローチャートである。
【図２Ｃ】本明細書の実施形態による、無線ネットワークノードによって実施される方法を表す概略フローチャートである。
【図３】本明細書のいくつかの実施形態による、フローチャートである。
【図４】本明細書のいくつかの実施形態による、組み合わせられたフローチャートおよびシグナリング方式の図である。
【図５】本明細書の実施形態による、無線デバイスを表す概略ブロック図である。
【図６】本明細書の実施形態による、無線ネットワークノードを表す概略ブロック図である。
【図７】中間ネットワークを介してホストコンピュータに接続された電気通信ネットワークを概略的に示す図である。
【図８】部分的無線接続上でホストコンピュータが基地局を介してユーザ機器と通信することの一般化されたブロック図である。
【図９】ホストコンピュータと基地局とユーザ機器とを含む通信システムにおいて実装される方法を示すフローチャートである。
【図１０】ホストコンピュータと基地局とユーザ機器とを含む通信システムにおいて実装される方法を示すフローチャートである。
【図１１】ホストコンピュータと基地局とユーザ機器とを含む通信システムにおいて実装される方法を示すフローチャートである。
【図１２】ホストコンピュータと基地局とユーザ機器とを含む通信システムにおいて実装される方法を示すフローチャートである。
【発明を実施するための形態】
【００３８】
本明細書の実施形態は、一般に、無線通信ネットワークに関する。図２Ａは、無線通信ネットワーク１を表す概観である。無線通信ネットワーク１は、１つまたは複数のＲＡＮと、１つまたは複数のＣＮとを備える。無線通信ネットワーク１は、ほんの数個の可能な実装形態を挙げると、新しい無線（ＮＲ）、Ｗｉ−Ｆｉ、Ｌｏｎｇ  Ｔｅｒｍ  Ｅｖｏｌｕｔｉｏｎ（ＬＴＥ）、ＬＴＥアドバンスト、５Ｇ、広帯域符号分割多元接続（ＷＣＤＭＡ）、モバイル通信用グローバルシステム／ＧＳＭ進化型高速データレート（ＧＳＭ／ＥＤＧＥ）、ワールドワイドインターオペラビリティフォーマイクロウェーブアクセス（ＷｉＭａｘ）、またはウルトラモバイルブロードバンド（ＵＭＢ）など、１つまたはいくつかの異なる技術を使用し得る。本明細書の実施形態は、５Ｇコンテキストにおいて特に関心の対象となる最近の技術傾向に関するが、実施形態は、たとえばＷＣＤＭＡおよびＬＴＥなど、既存の無線通信ネットワークのさらなる発展においても適用可能である。
【００３９】
無線通信ネットワーク１において、移動局、非アクセスポイント（非ＡＰ）ＳＴＡ、ＳＴＡ、ユーザ機器および／または無線端末など、無線デバイス１０が、１つまたは複数のアクセスネットワーク（ＡＮ）、たとえばＲＡＮを介して１つまたは複数のＣＮに通信し得る。「無線デバイス」が、サービスエリア内で通信する、任意の端末、無線通信端末、ユーザ機器、マシン型通信（ＭＴＣ）デバイス、デバイスツーデバイス（Ｄ２Ｄ）端末、またはノード、たとえば、スマートフォン、ラップトップ、モバイルフォン、センサー、リレー、モバイルタブレット、さらには小さい基地局を意味する、非限定的な用語であることが当業者によって理解されるべきである。本明細書の実施形態は、一般に、車両対車両（Ｖ２Ｖ）認証済みＵＥまたはＰｒｏＳｅ認証済みＵＥなど、デバイスツーデバイス対応ＵＥの参加を伴う、無線通信ネットワークのリソース管理に関する。
【００４０】
無線通信ネットワーク１は、１つまたは複数のビーム、またはビームグループによって与えられ得る、サービスエリア１１またはセルと呼ばれる、地理的エリアにわたる無線カバレッジを与える無線ネットワークノード１２を備え、ビームのグループは、ＮＲ、５Ｇ、ＬＴＥ、Ｗｉ−Ｆｉ、または同様のものなど、第１の無線アクセス技術（ＲＡＴ）のサービスエリアをカバーしている。また、無線ネットワークノード１２など、無線ネットワークノードが複数のセルをサーブし得る。無線ネットワークノード１２は、送信および受信ポイント、たとえば、無線ローカルエリアネットワーク（ＷＬＡＮ）アクセスポイントまたはアクセスポイント局（ＡＰ  ＳＴＡ）などの無線アクセスネットワークノード、アクセスコントローラ、基地局、たとえばノードＢ、エボルブドノードＢ（ｅＮＢ、ｅノードＢ）、ｇノードＢなどの無線基地局、基地トランシーバ局、無線リモートユニット、アクセスポイント基地局、基地局ルータ、無線基地局の送信構成、スタンドアロンアクセスポイント、あるいは、たとえば使用される無線アクセス技術および用語に応じて無線ネットワークノードによってサーブされるサービスエリア内で無線デバイスと通信することが可能な任意の他のネットワークユニットであり得る。無線ネットワークノード１２は、無線デバイス１０へのダウンリンク（ＤＬ）送信と無線デバイス１０からのアップリンク（ＵＬ）送信とを用いて無線デバイス１０と通信する。
【００４１】
上述のように、無線ネットワークノード１２は、重複する送信パラメータの値を決定し、これらの重複する値を伴って無線デバイスを設定し得る。しかしながら、重複が保証されるように送信パラメータの値の異なるセットを設定することは、常に有益であるとは限らない。そのような重複がネットワーク設定によって保証されない場合、無線デバイスが送信リソースのどのセットを選択するべきであるかが曖昧である。さらに、送信パラメータのいくつかの値について、たとえば使用されるべきＰＲＢの数について、重複が保証される場合でさえ、送信パラメータの他の値について、たとえば使用されるべきＭＣＳについて、重複が保証されないことがある。したがって、そのような場合、送信パラメータの値のどのセットから無線デバイスがそのような他の送信パラメータ、たとえばＭＣＳを選択するべきであるかが曖昧である。
【００４２】
本明細書の実施形態は、無線デバイス１０が、無線デバイス１０の異なる状態に応じて、無線ネットワークノード１２によって設定（または事前設定）され得る送信パラメータの値の複数のセットの中の送信パラメータの値の適切なセットを選択することを可能にする。本明細書の実施形態は、無線ネットワークノードが設定し得る送信パラメータの値の可能な複数のセットの中の送信パラメータの値のセットを無線デバイス１０が選択するときに、無線デバイス１０が従う基準を規定する。本明細書の開示される方法は、無線デバイス１０のための送信パラメータの値を選択するときに、たとえば、送信確実性、送信レート、ネットワーク負荷に関する、システム性能を考慮に入れることを保証するか、または少なくとも可能にする。
【００４３】
本明細書の実施形態では、簡単のために、送信パラメータの値のセットが、たとえば、無線デバイス関係状態である速度依存であり得、および／またはネットワーク関係状態である輻輳依存であり得ることが考慮され得る。しかしながら、本明細書で開示される方法は、他の無線デバイス関係状態、たとえば、無線デバイスのロケーション、方向、バッテリー、カテゴリー、たとえば、無線デバイスが優先される（ｐｒｉｏｒｉｔｉｚｅｄ）／特権的（ｐｒｉｖｉｌｅｇｅｄ）無線デバイスであるかどうか、無線デバイスによって送信されるべきサービスなどに容易に拡張され得る。同様に、無線ネットワークノード１２が、ＰＲＢ範囲、ＭＣＳ範囲、ＨＡＲＱ再送信の数、送信（ＴＸ）電力範囲など、送信パラメータのための値を与えると仮定される。しかしながら、以下で開示される方法は、他の送信パラメータの値、たとえば、使用すべき多入力多出力（ＭＩＭＯ）レイヤの数、使用すべき同期参照、使用すべき送信アンテナの数などに拡張され得る。さらに、事前設定がパラメータの一部／全部のために使用され得る。
【００４４】
いくつかの実施形態では、無線デバイス１０は、ブロードキャストシグナリングで、または、専用シグナリング、たとえば、無線リソース制御（ＲＲＣ）シグナリングで、無線ネットワークノード１２から送信パラメータの値の複数のセットを受信することによって、送信パラメータの値の複数のセットを取得し得る。追加または代替として、無線デバイス１０は、送信パラメータの値の複数のセットを伴って、たとえば、アプリケーションサーバによって、または、ユニバーサル集積回路カード（ＵＩＣＣ）において、および／またはモバイル機器（ＭＥ）、すなわち無線デバイスにおいて、事前設定され得る。送信パラメータの値のそのような複数のセットは、たとえば、無線デバイス１０の位置、無線デバイス１０の速度／加速度、ネットワーク／セルの輻輳ステータス、無線デバイス１０のバッテリー、無線デバイスのカテゴリー、たとえば、無線デバイスが優先されるまたは特権的無線デバイスであるかどうかに基づく、値を含み得る。優先されるまたは特権的無線デバイスは、無線デバイスが、たとえば、無線デバイスが優先されることまたはサービス要件のある品質を有することを述べる、サブスクリプションを有することを意味する。
【００４５】
次に、本明細書の実施形態による、無線通信ネットワーク１における通信をハンドリングするための無線デバイス１０によって実施される方法アクションが、図２Ｂに表されているフローチャートを参照しながら説明される。アクションは、以下で述べられる順序でとられる必要がなく、任意の好適な順序でとられ得る。いくつかの実施形態において実施されるアクションは、点線ボックスでマークされる。
【００４６】
アクション２０１．無線デバイス１０は、送信パラメータの値の複数のセットを取得し得る。
【００４７】
アクション２０２．無線デバイス１０は、２つまたはそれ以上の状態に基づいて送信パラメータの値のセットを決定し、送信パラメータは無線デバイスに関係する。２つまたはそれ以上の状態は、ネットワーク関係状態の一例であるトラフィックの輻輳に依存する輻輳状態、無線デバイスの速度および／または方向に依存する移動状態、無線デバイスのロケーションに依存するロケーション状態、ならびに／あるいは無線デバイスの容量に依存する容量状態を含む。値のセットは、値の取得された複数のセットから選択されることによって決定され得る。
【００４８】
アクション２０３．無線デバイス１０は、値のセットのうちの１つまたは複数の重複する値があるかどうかをさらに決定する。
【００４９】
アクション２０４１．１つまたは複数の重複する値があると決定されたとき、無線デバイス１０は、１つまたは複数の重複する値のうちの１つの値を選択する。
【００５０】
アクション２０４２．重複する値がないと決定されたとき、無線デバイス１０は、基準に基づいて送信パラメータの値のセットから１つの値を選択する。基準は、別のセットに対する、送信パラメータの値のセットの優先度に関係し得る。
【００５１】
アクション２０５．次いで、無線デバイス１０は、通信中に、選択された値を使用し得る。選択された値は、送信または非送信、たとえば０値を指示し得る。
【００５２】
次に、本明細書の実施形態による、無線通信ネットワーク１の無線リソースをハンドリングするための無線ネットワークノード１２によって実施される方法アクションが、図２Ｃに表されているフローチャートを参照しながら説明される。アクションは、以下で述べられる順序でとられる必要がなく、任意の好適な順序でとられ得る。いくつかの実施形態において実施されるアクションは、点線ボックスでマークされる。
【００５３】
アクション２１１．無線ネットワークノード１２は、送信パラメータの値の複数のセットを伴って無線デバイス１０を設定し、送信パラメータは、輻輳状態などのネットワーク関係状態および／または速度状態などの無線デバイス関係状態である状態に関係する。
【００５４】
以下は、図３に示されている無線デバイス１０によって実施される本明細書の実施形態の一例である。
【００５５】
アクション３０１．無線デバイス１０は、無線デバイス１０が、その状態、たとえば、位置、方向、速度／加速度、輻輳ステータス、バッテリー、カテゴリー、送信されるべきサービスに応じて使用し得る、１つまたは複数の送信パラメータのための値の候補セットを決定する。これは、図２Ｂにおけるアクション２０２の一例である。簡単のために、無線ネットワークノード１２が送信パラメータの値の２つのセット、たとえば速度依存のものと輻輳依存のもの、のみを設定すると仮定すると、たとえば、そのような候補送信パラメータは次のように示される。
ａ．速度−パラメータＢ（ＰＲＢ−範囲Ｂ、ＭＣＳ−範囲Ｂ、再送信Ｂ、ＴＸ−電力Ｂなど）
ｂ．輻輳−パラメータＡ（ＰＲＢ−範囲Ａ、ＭＣＳ−範囲Ａ、再送信Ａ、ＴＸ−電力Ａなど）
【００５６】
アクション３０２．各送信パラメータ、すなわちＰＲＢ範囲、ＭＣＳ範囲、ＨＡＲＱ範囲、ＴＸ電力などについて、無線デバイス１０は、値の複数のセットにわたって、たとえば、輻輳−パラメータＡにおけるＰＲＢ−範囲Ａと速度−パラメータＢにおけるＰＲＢ−範囲Ｂとにわたって、輻輳−パラメータＡにおけるＭＣＳ−範囲Ａと速度−パラメータＢにおけるＭＣＳ−範囲Ｂとにわたってなど、重複があるかどうか、すなわち共通の値があるかどうかを決定する。これは、図２Ｂにおけるアクション２０３の一例である。
【００５７】
アクション３０３．重複がある場合、無線デバイス１０は、この重複に属する送信パラメータのためのそれぞれの値を選択する。すなわち、値の両方のセットに属する値。
【００５８】
アクション３０４．値のセット、すなわちＰＲＢ範囲、ＭＣＳ範囲、ＨＡＲＱ範囲、ＴＸ電力などの間に重複がない場合、無線デバイス１０は、以下で開示される選択基準に従う。いくつかの実施形態では、アクション３０４は、いくつかの送信パラメータのためにのみ使用される。たとえば、ＰＲＢ範囲について、輻輳−パラメータＡにおけるＰＲＢ−範囲Ａと速度−パラメータＢにおけるＰＲＢ−範囲Ｂとの間に重複があり、したがって、無線デバイス１０は、両方の範囲間の重複における値を選定し（図２Ｂ中のアクション２０４１参照）、ＭＣＳ範囲について、輻輳−パラメータＡにおけるＭＣＳ−範囲Ａと速度−パラメータＢにおけるＭＣＳ−範囲Ｂとの間に重複がなく、したがって、無線デバイス１０は、ＭＣＳ値を選定するために、図２Ｂ中のアクション２０４２の一例であるアクション３０４を使用する。
【００５９】
アクション３０４について、以下の選択基準のうちの１つが、無線デバイス１０によって従われ得る。
−  送信パラメータの値の各セットが優先度を与えられる。たとえば、輻輳アウェア（ｃｏｎｇｅｓｔｉｏｎ−ａｗａｒｅ）値が、最も高い優先度を与えられる。重複が検出されないとき、無線デバイス１０は、最も高い優先度のセットから送信パラメータを選択し得る。そのような優先度の（事前）設定は、たとえば、無線デバイス１０のロケーション、またはＵＥ測定値に依存し得る。たとえば、都市の中心では、輻輳アウェア送信パラメータの使用が、速度アウェア（ｓｐｅｅｄ−ａｗａｒｅ）送信パラメータよりも優先される。ハイウェイでは、反対の挙動が使用される。
−  優先度が送信パラメータの値の各セットに与えられ、たとえば、ＣＢＲ＞７０％である場合、優先度１が与えられ、したがって、無線デバイス１０は、ＣＢＲ＞７０％であるとき、送信パラメータの値の輻輳アウェアセットからの送信パラメータの値の選択を常に優先させるべきであり、ＣＢＲ＜２０％の場合、優先度はより低く、したがって、値の各セットは、異なる状態下で異なる優先度を有し得る。
〇  ＣＢＲ＞７０％：優先度１
〇  速度＞１００ｋｍｐｈ：優先度２
〇  ＣＢＲ  ２０％〜７０％：優先度３
〇  速度６０ｋｍｐｈ〜１００ｋｍｐｈ：優先度４
〇  ＣＢＲ  ２０％〜７０％：優先度５
〇  速度０ｋｍｐｈ〜６０ｋｍｐｈ：優先度６
無線ネットワークノード１２は、単一のしきい値に関連する優先度が、異なるセットのための複数のしきい値にわたって一意であることを保証し得る。代替的に、２つ以上のセットが同じ優先度を与えられた場合、第２の基準が、たとえば以下のリストから、使用され得る。
−  無線デバイス１０は、送信パラメータの値の１つのセットをランダムに選択し得る。ランダム機能は、各セットが、等しい確率で、またはある（事前）設定された確率に従って選定され得るようなものであり得、その（事前）設定された確率は、送信パラメータのセットに関連する（したがって、基準１の場合のように、セットの優先度に依存する）か、または、複数のセットにわたる異なるしきい値に関連する（したがって、基準２の場合のように、異なるセットにわたる異なるしきい値の優先度に依存する）。
−  無線デバイス１０は、最も限定的である送信パラメータの値のセットを選択し得る。たとえば、輻輳−パラメータＡにおけるＰＲＢ−範囲Ａが範囲［１０−２０］ＰＲＢを指示し、速度−パラメータＢにおけるＰＲＢ−範囲Ｂが［５０−１００］ＰＲＢを指示する場合、無線デバイス１０は、ＰＲＢの範囲または数とも呼ばれる、より少ない間隔をもつセットの値、たとえば、最大２０個のＰＲＢが使用されるので、輻輳−パラメータＡにおけるＰＲＢ−範囲Ａを選択し得る。
〇  代替基準は、無線デバイス１０がより大胆である送信パラメータの値のセット、すなわち、速度−パラメータＢにおけるＰＲＢ−範囲Ｂを選択することである。
〇  ２つのセットが部分的に重複している場合、たとえば、輻輳−パラメータＡにおけるＰＲＢ−範囲Ａ［１０、２０］と、速度−パラメータＢにおけるＰＲＢ−範囲Ｂとが［５−２５］ＰＲＢを指示する場合、セットを選択するときに、最も低い上限が考慮され、すなわち、最も低い上限は２０であり、したがって、輻輳−パラメータＡにおけるＰＲＢ−範囲Ａが使用される。代替的に、最も低い下限が考慮され得、すなわち、最も低い下限は５であり、したがって、速度−パラメータＢにおけるＰＲＢ−範囲Ｂが使用される。代替的に、最初に、最も低い上限が考慮され、最も低い上限が複数のセットについて同じである場合、最も低い下限が考慮される。
−  無線デバイス１０は、複数のセットにわたる送信パラメータの和集合から送信パラメータ値を選択し得る。基準４における例では、無線デバイス１０は、セット［１０−２０］とセット［５０−１００］とのセット和集合から、使用されるべきＰＲＢの数を選択し得る。
−  無線デバイス１０は、送信パラメータ値の（事前）設定されたデフォルト（またはバックアップ）セットから送信パラメータの値を選択し得る。送信パラメータ値のそのような（事前）設定されたデフォルト（またはバックアップ）セットは、異なるセットにわたって１つまたは複数の送信パラメータ間に重複がないときに使用され得る。
−  無線デバイス１０は、送信パラメータの値の異なるセットの使用を交替し得る。たとえば、Ｎ個のサブフレームまたはＰ送信またはＴ秒の後、無線デバイス１０は、送信パラメータの値の異なるセットから１つまたは複数の送信パラメータの値を選択する。
−  いくつかの送信パラメータについてのみ（すなわちＰＲＢ範囲、ＭＣＳ範囲だが、ＨＡＲＱ範囲またはＴＸ電力などについてではない）複数のセットにわたって値の重複がある場合、無線デバイス１０は、重複があるそれらの送信パラメータについても、値の別のセットを選択し得る。たとえば、無線デバイス１０が上記の基準のうちの１つに従って、輻輳−パラメータＡにおけるＨＡＲＱ−範囲Ａを選択する場合、無線デバイス１０は、重複があるか否かにかかわらず、輻輳−パラメータＡにおける他の送信パラメータＰＲＢ−範囲Ａ、ＭＣＳ範囲、ＴＸ−電力Ａをも選択し得る。
〇  優先度は、異なる送信パラメータにも関連し得、したがって、送信パラメータの複数のセットにわたって２つ以上の送信パラメータについて重複がない場合、無線デバイス１０は、最初に、最も高い優先度の送信パラメータのための送信パラメータの値のセットを（上記の基準のうちの１つに従って）選択し得る。たとえば、ネットワークは、優先度１をＰＲＢ範囲、優先度２をＭＣＳ範囲などに関連付け得る。無線デバイス１０は、最初に、ＰＲＢをそこから選択すべき送信パラメータの値のセットを選択し得、次いで、同じセットから他の送信パラメータの値が選択される。
【００６０】
無線デバイス１０は、パラメータ値の異なるセット間の重複の存在または不在にかかわらず、上述の基準を使用し得る。
【００６１】
図４は、本明細書のいくつかの実施形態による、組み合わせられたフローチャートおよびシグナリング方式である。
【００６２】
アクション４０１．無線ネットワークノード１２が、送信パラメータの値の複数のセットを決定し得、値の各セットは、セル１１における輻輳、無線デバイス１０のロケーション、無線デバイス１０の速度などの状態に関連する。
【００６３】
アクション４０２．無線ネットワークノード１２は、次いで、送信パラメータ値の複数のセットを伴って、無線デバイス１０に送信（または、無線デバイス１０を設定）し得る。
【００６４】
アクション４０３．無線デバイス１０は、無線デバイス１０が、その状態、たとえば、位置、速度／加速度、輻輳ステータス、バッテリー、カテゴリーに応じて使用し得る、１つまたは複数の送信パラメータのための値の候補セットを決定する。
【００６５】
アクション４０４．無線デバイス１０は、送信パラメータ値の２つまたはそれ以上のセット間に重複があるかどうかを決定する。
【００６６】
アクション４０５．無線デバイスは、送信パラメータの優先されるセット中の重複する値またはある値のいずれかの送信パラメータの値を選択する。
【００６７】
アクション４０６．無線デバイス１０は、次いで、無線通信ネットワークにおける送信中に、選択された値を使用する。
【００６８】
図５は、無線通信ネットワークにおける通信をハンドリングするための無線デバイス１０を表す概略ブロック図である。
【００６９】
無線デバイス１０は、本明細書の方法を実施するように設定された処理回路５０１、たとえば１つまたは複数のプロセッサを備え得る。
【００７０】
無線デバイス１０は取得モジュール５０２を備え得る。無線デバイス１０、処理回路５０１、および／または取得モジュール５０２は、送信パラメータの値の複数のセットを取得するように無線ネットワークノード１２から設定されるか、または事前設定され得、送信パラメータの値の各セットは、輻輳、無線デバイスのロケーション、または無線デバイスの速度などの状態に関連し得る。
【００７１】
無線デバイス１０は決定モジュール５０３を備え得る。無線デバイス１０、処理回路５０１、および／または決定モジュール５０３は、２つまたはそれ以上の状態に基づいて送信パラメータの値のセットを決定するように設定され、送信パラメータは無線デバイスに関係する。２つまたはそれ以上の状態は、トラフィックの輻輳に依存する輻輳状態、無線デバイスの速度および／または方向に依存する移動状態、無線デバイスのロケーションに依存するロケーション状態、ならびに／あるいは無線デバイスの容量に依存する容量状態を含み得る。無線デバイス１０、処理回路５０１、および／または決定モジュール５０３は、値のセットのうちの１つまたは複数の重複する値があるかどうかを決定するようにさらに設定される。無線デバイス１０、処理回路５０１、および／または決定モジュール５０３は、値の取得された複数のセットから選択することによって、値のセットを決定するように設定され得る。無線デバイス１０、処理回路５０１、および／または決定モジュール５０３は、たとえば、無線デバイス１０が、その状態、たとえば、位置、速度／加速度、輻輳ステータス、バッテリー、カテゴリーに応じて使用し得る、１つまたは複数の送信パラメータのための値の候補セットを決定するように設定され得る。無線デバイス１０、処理回路５０１、および／または決定モジュール５０３は、送信パラメータ値の２つまたはそれ以上のセット間に重複があるかどうかを決定するように設定される。
【００７２】
無線デバイス１０は選択モジュール５０４を備え得る。無線デバイス１０、処理回路５０１、および／または選択モジュール５０４は、１つまたは複数の重複する値があると決定されたとき、１つまたは複数の重複する値のうちの１つの値を選択するように設定される。無線デバイス１０、処理回路５０１、および／または選択モジュール５０４は、重複する値がないと決定されたとき、基準に基づいて送信パラメータの値のセットから１つの値を選択するように設定される。基準は、１つの別のセットに対する、送信パラメータの値のセットの優先度に関係し得る。無線デバイス１０、処理回路５０１、および／または選択モジュール５０４は、送信パラメータの優先されるセット中の重複する値またはある値のいずれかの送信パラメータの値を選択するように設定され得る。
【００７３】
無線デバイス１０は使用モジュール５０５を備え得る。無線デバイス１０、処理回路５０１、および／または使用モジュール５０５は、たとえば無線通信ネットワークにおける送信を実施する通信中に、選択された値を使用するように設定され得る。
【００７４】
無線デバイス１０は、１つまたは複数のメモリユニットを備える、メモリ５０６をさらに備える。メモリ５０６は、無線デバイス１０において実行されているときに本明細書の方法を実施するために処理回路５０１によって実行可能な命令を備える。メモリ５０６は、たとえば、情報、送信パラメータ値のセット、状態、ロケーション、速度、カテゴリーなどのデータを記憶するために使用されるように構成される。
【００７５】
無線デバイス１０のための本明細書で説明される実施形態による方法は、少なくとも１つのプロセッサ上で実行されたとき、無線デバイス１０によって実施されるように、少なくとも１つのプロセッサに、本明細書で説明されるアクションを行わせる、命令、すなわち、ソフトウェアコード部分を備える、たとえばコンピュータプログラム製品５０７またはコンピュータプログラムの手段によってそれぞれ実装され得る。コンピュータプログラム製品５０７は、コンピュータ可読記憶媒体５０８、たとえばディスク、ユニバーサルシリアルバス（ＵＳＢ）スティックまたは同様のものに記憶され得る。コンピュータプログラム製品５０７を記憶したコンピュータ可読記憶媒体５０８は、少なくとも１つのプロセッサ上で実行されたとき、無線デバイス１０によって実施されるように、少なくとも１つのプロセッサに、本明細書で説明されるアクションを行わせる、命令を備え得る。いくつかの実施形態では、コンピュータ可読記憶媒体５０８は、非一時的コンピュータ可読記憶媒体であり得る。したがって、無線デバイス１０は処理回路５０１とメモリ５０６とを備え得、前記メモリ５０６は前記処理回路５０１によって実行可能な命令を備え、それにより、前記無線デバイス１０は、本明細書の方法を実施するように動作可能である。
【００７６】
図６は、無線通信ネットワーク１における無線デバイス１０のための通信を可能にするための、たとえば送信パラメータ値を設定するための無線ネットワークノード１２を表す概略ブロック図である。
【００７７】
無線ネットワークノード１２は、本明細書の方法を実施するように設定された処理回路６０１、たとえば１つまたは複数のプロセッサを備え得る。
【００７８】
無線ネットワークノード１２は、設定モジュール６０２を備え得る。無線ネットワークノード１２、処理回路６０１、および／または設定モジュール６０２は、送信パラメータの値の複数のセットを伴って無線デバイス１０を設定するように設定され、送信パラメータは、ネットワーク関係状態および／または無線デバイス関係状態に関係し、無線デバイスが、たとえば、ネットワーク関係状態または無線デバイス関係状態のいずれかあるいはそれらの両方である状態から選択するためのものである。セットは、異なる無線デバイス状態に関連し得る。
【００７９】
無線ネットワークノード１２は、決定モジュール６０３を備え得る。無線ネットワークノード１２、処理回路６０１、および／または決定モジュール６０３は、送信パラメータ値の複数のセットを決定するように設定され得る。
【００８０】
無線ネットワークノード１２は、１つまたは複数のメモリユニットを備える、メモリ６０４をさらに備える。メモリ６０４は、無線ネットワークノード１２において実行されたときに本明細書の方法を実施するために処理回路６０１によって実行可能な命令を備える。メモリ６０４は、たとえば、情報、設定、セット、値などのデータを記憶するために使用されるように構成される。
【００８１】
無線ネットワークノード１２のための本明細書で説明される実施形態による方法は、それぞれ、少なくとも１つのプロセッサ上で実行されたとき、無線ネットワークノード１２によって実施されるように、少なくとも１つのプロセッサに、本明細書で説明されるアクションを行わせる、命令、すなわち、ソフトウェアコード部分を備える、たとえばコンピュータプログラム製品６０５またはコンピュータプログラムの手段によって実装される。コンピュータプログラム製品６０５は、コンピュータ可読記憶媒体６０６、たとえばディスク、ＵＳＢスティック、または同様のものに記憶され得る。コンピュータプログラム製品６０５を記憶したコンピュータ可読記憶媒体６０６は、少なくとも１つのプロセッサ上で実行されたとき、無線ネットワークノード１２によって実施されるように、少なくとも１つのプロセッサに、本明細書で説明されるアクションを行わせる、命令を備え得る。いくつかの実施形態では、コンピュータ可読記憶媒体は、非一時的コンピュータ可読記憶媒体であり得る。したがって、無線ネットワークノード１２は処理回路６０１とメモリ６０４とを備え得、前記メモリ６０４は前記処理回路６０１によって実行可能な命令を備え、それにより、前記無線ネットワークノード１２は、本明細書の方法を実施するように動作可能である。
【００８２】
通信設計に精通している人々によって容易に理解されるように、手段またはモジュールは、デジタル論理および／または１つまたは複数のマイクロコントローラ、マイクロプロセッサ、あるいは他のデジタルハードウェアを使用して実装され得る。いくつかの実施形態では、様々な機能のいくつかまたはすべては、単一の特定用途向け集積回路（ＡＳＩＣ）において、あるいは、それらの間の適切なハードウェアおよび／またはソフトウェアインターフェースをもつ２つまたはそれ以上の別個のデバイスにおいてなど、一緒に実装され得る。機能のうちのいくつかは、たとえば、無線端末またはネットワークノードの他の機能構成要素と共有されるプロセッサ上で実装され得る。
【００８３】
代替的に、説明される処理手段の機能エレメントのうちのいくつかは、専用ハードウェアの使用を通して与えられ得、他の機能エレメントは、適切なソフトウェアまたはファームウェアに関連して、ソフトウェアを実行するためのハードウェアを与えられる。したがって、本明細書で使用される「プロセッサ」または「コントローラ」という用語は、ソフトウェアを実行することが可能なハードウェアをもっぱら指すのではなく、限定はしないが、デジタル信号プロセッサ（ＤＳＰ）ハードウェア、ソフトウェアを記憶するための読取り専用メモリ（ＲＯＭ）、ソフトウェアおよび／あるいはプログラムまたはアプリケーションデータを記憶するためのランダムアクセスメモリ、ならびに不揮発性メモリを暗黙的に含み得る。従来のおよび／またはカスタムの他のハードウェアも含まれ得る。通信受信機の設計者は、これらの設計選定に固有のコスト、性能、および保守のトレードオフを諒解されよう。
【００８４】
無線デバイスが、送信パラメータの複数のセットを取得し得ることが本明細書で開示され、その送信パラメータは無線デバイス関係である。無線デバイスは、トラフィックの輻輳および無線デバイスの速度など、２つまたはそれ以上の状態に基づいて、送信パラメータ値のセットを決定する。無線デバイスは、送信パラメータ値のセットのうちの１つまたは複数の重複する値があるかどうかを決定する。重複する値があった場合、無線デバイスは、１つまたは複数の重複する値のうちの１つの値を選択する。重複する値がなかった場合、無線デバイスは、最も高い優先度のセットなど、基準に基づいて、送信パラメータ値のセットから１つの値を選択する。
【００８５】
さらに、無線通信ネットワークのリソースをハンドリングするための、無線ネットワークノードによって実施される方法が本明細書で開示される。無線ネットワークノードは、送信パラメータの複数のセットを伴って無線デバイスを設定し、送信パラメータが、ネットワーク関係状態または無線デバイス関係状態のいずれかの状態に関係する。
【００８６】
さらに、少なくとも１つのプロセッサ上で実行されたとき、少なくとも１つのプロセッサに、無線デバイスまたは無線ネットワークノードによって実施される、上記の方法のいずれかを行わせる命令を備えるコンピュータプログラムが、本明細書で提供される。さらに、少なくとも１つのプロセッサ上で実行されたとき、少なくとも１つのプロセッサに、無線デバイスまたは無線ネットワークノードによって実施される、上記の方法のいずれかに記載の方法を行わせる命令を備えるコンピュータプログラムを記憶した、コンピュータ可読記憶媒体が、本明細書で提供される。
【００８７】
また、本明細書の方法を実施するための無線ネットワークノードおよび無線デバイスも本明細書で提供される。
【００８８】
図７を参照すると、一実施形態によれば、通信システムが、無線アクセスネットワークなどのアクセスネットワーク３２１１とコアネットワーク３２１４とを備える、３ＧＰＰタイプセルラーネットワークなど、電気通信ネットワーク３２１０を含む。アクセスネットワーク３２１１は、本明細書の無線ネットワークノード１２の例であるＮＢ、ｅＮＢ、ｇＮＢ、または他のタイプの無線アクセスポイントなど、複数の基地局３２１２ａ、３２１２ｂ、３２１２ｃを備え、各々が、対応するカバレッジエリア３２１３ａ、３２１３ｂ、３２１３ｃを規定する。各基地局３２１２ａ、３２１２ｂ、３２１２ｃは、有線接続または無線接続３２１５上でコアネットワーク３２１４に接続可能である。カバレッジエリア３２１３ｃ中にある、無線デバイス１０の一例である第１のユーザ機器（ＵＥ）３２９１が、対応する基地局３２１２ｃに無線で接続するように、または対応する基地局３２１２ｃによってページングされるように設定される。カバレッジエリア３２１３ａ中の第２のＵＥ３２９２が、対応する基地局３２１２ａに無線で接続可能である。この例では複数のＵＥ３２９１、３２９２が示されているが、開示される実施形態は、唯一のＵＥがカバレッジエリア中にある状況、または唯一のＵＥが対応する基地局３２１２に接続している状況に等しくに適用可能である。
【００８９】
電気通信ネットワーク３２１０はそれ自体で、スタンドアロンサーバ、クラウド実装サーバ、分散型サーバのハードウェアおよび／またはソフトウェアにおいて、あるいはサーバファーム中の処理リソースとして具現され得る、ホストコンピュータ３２３０に接続される。ホストコンピュータ３２３０は、サービスプロバイダの所有または制御下にあり得、あるいはサービスプロバイダによってまたはサービスプロバイダに代わって動作され得る。電気通信ネットワーク３２１０とホストコンピュータ３２３０との間の接続３２２１、３２２２は、コアネットワーク３２１４からホストコンピュータ３２３０に直接延びるか、または随意の中間ネットワーク３２２０を介して進み得る。中間ネットワーク３２２０は、パブリックネットワーク、プライベートネットワーク、またはホストされたネットワークのうちの１つ、またはそれらのうちの２つ以上の組合せであり得、中間ネットワーク３２２０は、もしあれば、バックボーンネットワークまたはインターネットであり得、特に、中間ネットワーク３２２０は、２つまたはそれ以上のサブネットワーク（図示せず）を備え得る。
【００９０】
図７の通信システムは全体として、接続されたＵＥ３２９１、３２９２のうちの１つとホストコンピュータ３２３０との間の接続性を可能にする。接続性は、オーバーザトップ（ＯＴＴ）接続３２５０として説明され得る。ホストコンピュータ３２３０および接続されたＵＥ３２９１、３２９２は、媒介としてアクセスネットワーク３２１１、コアネットワーク３２１４、何らかの中間ネットワーク３２２０、および可能なさらなるインフラストラクチャ（図示せず）を使用して、ＯＴＴ接続３２５０を介してデータおよび／またはシグナリングを通信するように設定される。ＯＴＴ接続３２５０が通過する関与する通信デバイスが、アップリンク通信およびダウンリンク通信のルーティングに気づいていないという意味で、ＯＴＴ接続３２５０は透過的であり得る。たとえば、基地局３２１２は、接続されたＵＥ３２９１にフォワーディング（たとえば、ハンドオーバ）されるべき、ホストコンピュータ３２３０から発生したデータを伴う着信ダウンリンク通信の過去のルーティングに関して、通知されないことがあり、または通知される必要がない。同様に、基地局３２１２は、ＵＥ３２９１から発生してホストコンピュータ３２３０に向かう発信アップリンク通信の将来ルーティングに気づいている必要がない。
【００９１】
次に、図８を参照しながら、一実施形態による、先の段落で説明されたＵＥ、基地局およびホストコンピュータの例示的な実装形態が説明される。通信システム３３００では、ホストコンピュータ３３１０が、通信システム３３００の異なる通信デバイスのインターフェースとの有線接続または無線接続をセットアップおよび維持するように設定された、通信インターフェース３３１６を含むハードウェア３３１５を備える。ホストコンピュータ３３１０は、記憶能力および／または処理能力を有し得る、処理回路３３１８をさらに備える。特に、処理回路３３１８は、１つまたは複数のプログラマブルプロセッサ、特定用途向け集積回路、フィールドプログラマブルゲートアレイ、または、命令を実行するように適応されたこれらの組合せ（図示せず）を備え得る。ホストコンピュータ３３１０は、ホストコンピュータ３３１０に記憶されるかまたはホストコンピュータ３３１０によってアクセス可能であり、処理回路３３１８によって実行可能である、ソフトウェア３３１１をさらに備える。ソフトウェア３３１１は、ホストアプリケーション３３１２を含む。ホストアプリケーション３３１２は、ＵＥ３３３０およびホストコンピュータ３３１０において終端するＯＴＴ接続３３５０を介して接続するＵＥ３３３０など、リモートユーザにサービスを与えるように動作可能であり得る。リモートユーザにサービスを与える際に、ホストアプリケーション３３１２は、ＯＴＴ接続３３５０を使用して送信されるユーザデータを与え得る。
【００９２】
通信システム３３００は、電気通信システム中に与えられる基地局３３２０をさらに含み、基地局３３２０は、基地局３３２０がホストコンピュータ３３１０およびＵＥ３３３０と通信することを可能にするハードウェア３３２５を備える。ハードウェア３３２５は、通信システム３３００の異なる通信デバイスのインターフェースとの有線接続または無線接続をセットアップおよび維持するための通信インターフェース３３２６、ならびに、基地局３３２０によってサービスされるカバレッジエリア（図８に図示せず）中にあるＵＥ３３３０との少なくとも無線接続３３７０をセットアップおよび維持するための無線インターフェース３３２７を含み得る。通信インターフェース３３２６は、ホストコンピュータ３３１０への接続３３６０を容易にするように設定され得る。接続３３６０は直接であり、あるいは接続３３６０は、電気通信システムのコアネットワーク（図８に図示せず）を通過し、および／または電気通信システムの外部の１つまたは複数の中間ネットワークを通過し得る。図示の実施形態では、基地局３３２０のハードウェア３３２５は、処理回路３３２８をさらに含み、処理回路３３２８は、１つまたは複数のプログラマブルプロセッサ、特定用途向け集積回路、フィールドプログラマブルゲートアレイ、または、命令を実行するように適応されたこれらの組合せ（図示せず）を備え得る。基地局３３２０は、内部的に記憶されるかまたは外部接続を介してアクセス可能なソフトウェア３３２１をさらに有する。
【００９３】
通信システム３３００は、すでに言及されたＵＥ３３３０をさらに含む。そのハードウェア３３３５は、ＵＥ３３３０が現在位置するカバレッジエリアをサービスする基地局との無線接続３３７０をセットアップおよび維持するように設定された、無線インターフェース３３３７を含み得る。ＵＥ３３３０のハードウェア３３３５は、処理回路３３３８をさらに含み、処理回路３３３８は、１つまたは複数のプログラマブルプロセッサ、特定用途向け集積回路、フィールドプログラマブルゲートアレイ、または、命令を実行するように適応されたこれらの組合せ（図示せず）を備え得る。ＵＥ３３３０は、ＵＥ３３３０に記憶されるかまたはＵＥ３３３０によってアクセス可能であり、処理回路３３３８によって実行可能である、ソフトウェア３３３１をさらに備える。ソフトウェア３３３１はクライアントアプリケーション３３３２を含む。クライアントアプリケーション３３３２は、ホストコンピュータ３３１０のサポートのもとに、ＵＥ３３３０を介して人間または人間でないユーザにサービスを与えるように動作可能であり得る。ホストコンピュータ３３１０では、実行しているホストアプリケーション３３１２は、ＵＥ３３３０およびホストコンピュータ３３１０において終端するＯＴＴ接続３３５０を介して、実行しているクライアントアプリケーション３３３２と通信し得る。ユーザにサービスを与える際に、クライアントアプリケーション３３３２は、ホストアプリケーション３３１２から要求データを受信し、要求データに応答してユーザデータを与え得る。ＯＴＴ接続３３５０は、要求データとユーザデータの両方を転送し得る。クライアントアプリケーション３３３２は、クライアントアプリケーション３３３２が与えるユーザデータを生成するためにユーザと相互作用し得る。
【００９４】
図８に示されているホストコンピュータ３３１０、基地局３３２０およびＵＥ３３３０は、それぞれ、図７のホストコンピュータ３２３０、基地局３２１２ａ、３２１２ｂ、３２１２ｃのうちの１つ、およびＵＥ３２９１、３２９２のうちの１つと同等であり得ることに留意されたい。つまり、これらのエンティティの内部の働きは、図８に示されているものであり得、別個に、周囲のネットワークトポロジーは、図７のものであり得る。
【００９５】
図８では、ＯＴＴ接続３３５０は、基地局３３２０を介したホストコンピュータ３３１０とユーザ機器３３３０との間の通信を示すために、中間デバイスとこれらのデバイスを介したメッセージの正確なルーティングとへの明示的言及なしに、抽象的に描かれている。ネットワークインフラストラクチャが、ルーティングを決定し得、ネットワークインフラストラクチャは、ＵＥ３３３０からまたはホストコンピュータ３３１０を動作させるサービスプロバイダから、またはその両方からルーティングを隠すように設定され得る。ＯＴＴ接続３３５０がアクティブである間、ネットワークインフラストラクチャは、さらに、ネットワークインフラストラクチャが（たとえば、ネットワークの負荷分散考慮または再設定に基づいて）ルーティングを動的に変更する決定を行い得る。
【００９６】
ＵＥ３３３０と基地局３３２０との間の無線接続３３７０は、本開示全体にわたって説明される実施形態の教示に従う。様々な実施形態のうちの１つまたは複数は、無線接続３３７０が最後のセグメントを形成するＯＴＴ接続３３５０を使用して、ＵＥ３３３０に与えられるＯＴＴサービスの性能を改善する。より正確には、これらの実施形態の教示は、無線デバイスに、セットのうち重複している送信パラメータの値を選択させることによってレイテンシを改善し、それにより、低減されたユーザ待ち時間およびより良好な応答性などの利益を与え得る。
【００９７】
１つまたは複数の実施形態が改善する、データレート、レイテンシおよび他のファクタを監視する目的で、測定プロシージャが与えられ得る。測定結果の変動に応答して、ホストコンピュータ３３１０とＵＥ３３３０との間のＯＴＴ接続３３５０を再設定するための随意のネットワーク機能性がさらにあり得る。測定プロシージャおよび／またはＯＴＴ接続３３５０を再設定するためのネットワーク機能性は、ホストコンピュータ３３１０のソフトウェア３３１１においてまたはＵＥ３３３０のソフトウェア３３３１において、またはその両方において実装され得る。実施形態では、ＯＴＴ接続３３５０が通過する通信デバイスにおいてまたはそれに関連して、センサー（図示せず）が展開され得、センサーは、上記で例示された監視された量の値を供給すること、またはソフトウェア３３１１、３３３１が監視された量を算出または推定し得る他の物理量の値を供給することによって、測定プロシージャに参加し得る。ＯＴＴ接続３３５０の再設定は、メッセージフォーマット、再送信セッティング、好ましいルーティングなどを含み得、再設定は、基地局３３２０に影響を及ぼす必要がなく、再設定は、基地局３３２０に知られていないかまたは知覚不可能であり得る。そのようなプロシージャおよび機能性は、当技術分野において知られ、実施され得る。いくつかの実施形態では、測定は、スループット、伝搬時間、レイテンシなどのホストコンピュータ３３１０の測定を容易にするプロプライエタリＵＥシグナリングを伴い得る。測定は、ソフトウェア３３１１、３３３１が、ソフトウェア３３１１、３３３１が伝搬時間、エラーなどを監視する間にＯＴＴ接続３３５０を使用して、メッセージ、特に空のまたは「ダミー」メッセージが送信されることを引き起こすことにおいて、実装され得る。
【００９８】
図９は、一実施形態による、通信システムにおいて実装される方法を示すフローチャートである。通信システムは、図７および図８を参照しながら説明されたものであり得る、ホストコンピュータと基地局とＵＥとを含む。本開示の簡単のために、図９への図面参照のみがこのセクションに含まれる。方法の第１のステップ３４１０において、ホストコンピュータはユーザデータを与える。第１のステップ３４１０の随意のサブステップ３４１１において、ホストコンピュータは、ホストアプリケーションを実行することによって、ユーザデータを与える。第２のステップ３４２０において、ホストコンピュータは、ユーザデータをＵＥに搬送する送信を始動する。随意の第３のステップ３４３０において、基地局は、本開示全体にわたって説明される実施形態の教示に従って、ホストコンピュータが始動した送信において搬送されたユーザデータをＵＥに送信する。随意の第４のステップ３４４０において、ＵＥは、ホストコンピュータによって実行されたホストアプリケーションに関連するクライアントアプリケーションを実行する。
【００９９】
図１０は、一実施形態による、通信システムにおいて実装される方法を示すフローチャートである。通信システムは、図７および図８を参照しながら説明されたものであり得る、ホストコンピュータと基地局とＵＥとを含む。本開示の簡単のために、図１０への図面参照のみがこのセクションに含まれる。方法の第１のステップ３５１０において、ホストコンピュータはユーザデータを与える。随意のサブステップ（図示せず）において、ホストコンピュータは、ホストアプリケーションを実行することによって、ユーザデータを与える。第２のステップ３５２０において、ホストコンピュータは、ユーザデータをＵＥに搬送する送信を始動する。送信は、本開示全体にわたって説明される実施形態の教示に従って、基地局を介して進み得る。随意の第３のステップ３５３０において、ＵＥは、送信において搬送されたユーザデータを受信する。
【０１００】
図１１は、一実施形態による、通信システムにおいて実装される方法を示すフローチャートである。通信システムは、図７および図８を参照しながら説明されたものであり得る、ホストコンピュータと基地局とＵＥとを含む。本開示の簡単のために、図１１への図面参照のみがこのセクションに含まれる。方法の随意の第１のステップ３６１０において、ＵＥは、ホストコンピュータによって与えられた入力データを受信する。追加または代替として、随意の第２のステップ３６２０において、ＵＥはユーザデータを与える。第２のステップ３６２０の随意のサブステップ３６２１において、ＵＥは、クライアントアプリケーションを実行することによって、ユーザデータを与える。第１のステップ３６１０のさらなる随意のサブステップ３６１１において、ＵＥは、ホストコンピュータによって与えられた受信された入力データに反応してユーザデータを与える、クライアントアプリケーションを実行する。ユーザデータを与える際に、実行されたクライアントアプリケーションは、ユーザから受信されたユーザ入力をさらに考慮し得る。ユーザデータが与えられた特定の様式にかかわらず、ＵＥは、随意の第３のサブステップ３６３０において、ホストコンピュータへのユーザデータの送信を始動する。方法の第４のステップ３６４０において、ホストコンピュータは、本開示全体にわたって説明される実施形態の教示に従って、ＵＥから送信されたユーザデータを受信する。
【０１０１】
図１２は、一実施形態による、通信システムにおいて実装される方法を示すフローチャートである。通信システムは、図７および図８を参照しながら説明されたものであり得る、ホストコンピュータと基地局とＵＥとを含む。本開示の簡単のために、図１２への図面参照のみがこのセクションに含まれる。方法の随意の第１のステップ３７１０において、本開示全体にわたって説明される実施形態の教示に従って、基地局は、ＵＥからユーザデータを受信する。随意の第２のステップ３７２０において、基地局は、ホストコンピュータへの、受信されたユーザデータの送信を始動する。第３のステップ３７３０において、ホストコンピュータは、基地局によって始動された送信において搬送されたユーザデータを受信する。
【０１０２】
上記の説明および添付の図面は、本明細書で教示された方法および装置の非限定的な例を表すことが諒解されよう。したがって、本明細書で教示された装置および技法は、上記の説明および添付の図面によって限定されない。代わりに、本明細書の実施形態は、以下の特許請求の範囲およびそれらの法的均等物によってのみ限定される。
【図１】
2020520604.tif 000003
【図２Ａ】
2020520604.tif 000004
【図２Ｂ】
2020520604.tif 000005
【図２Ｃ】
2020520604.tif 000006
【図３】
2020520604.tif 000007
【図４】
2020520604.tif 000008
【図５】
2020520604.tif 000009
【図６】
2020520604.tif 000010
【図７】
2020520604.tif 000011
【図８】
2020520604.tif 000012
【図９】
2020520604.tif 000013
【図１０】
2020520604.tif 000014
【図１１】
2020520604.tif 000015
【図１２】
2020520604.tif 000016
【国際調査報告】
2020520604.tif 000017
2020520604.tif 000018
2020520604.tif 000019